【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
周辺装置であって、
紙シートを印刷するための印刷手段と；
前記紙シートをカットするためのカット手段と；
命令を受領するための手段と；
を具備してなり、
前記印刷手段が、受領された命令の関数として前記紙シート（３）上に文字（９）または図形を印刷し得るよう一般的なインクカートリッジから供給されたインクを放出する第１プリントヘッド（４）と、受領された命令の関数としてカット対象をなす位置において前記紙シート内へと所定侵入深さでもって吸収性インクカートリッジから供給された吸収性インクを放出する第２プリントヘッド（１）と、を備え、
前記カット手段が、受領された命令の関数として前記吸収性インクによってマーキングされた位置（７）において前記吸収性インクによって吸収される波長のレーザービームを放出する低パワーレーザー（２）を備え、
このレーザーのパワーが、インク放出された位置において、前記紙シートをカット（１１）し得るに十分なものとされているおよび／または前記紙シートを部分蒸発（１０，１３）させ得るに十分なものとされていることを特徴とする装置。
【請求項２】
請求項１記載の装置において、
前記吸収性インクが、無機色素または有機色素と、溶媒と、を備えていることを特徴とする装置。
【請求項３】
請求項１記載の装置において、
前記吸収性インクが、前記吸収性インクが放出された前記位置（７）のところにおいて、前記レーザービームの動作波長でもって前記レーザービームの少なくとも５０％を吸収し得るように、構成されていることを特徴とする装置。
【請求項４】
請求項１記載の装置において、
前記吸収性インクが、前記吸収性インクが放出された前記位置（７）のところにおいて、前記レーザービームの動作波長でもって前記レーザービームの８０％以上を吸収し得るように、構成されていることを特徴とする装置。
【請求項５】
請求項３または４記載の装置において、
前記吸収性インクが、少なくとも２００℃という温度までは好ましくは２５０℃という温度までは、前記レーザービームの動作波長において、良好な吸収特性を維持することを特徴とする装置。
【請求項６】
請求項１記載の装置において、
前記吸収性インクが、臨界温度に到達した時点で発熱性燃焼を行うような構成要素を備え、
前記臨界温度が、１５０℃〜４００℃とされていることを特徴とする装置。
【請求項７】
請求項１記載の装置において、
前記吸収性インクが、可視波長範囲において無色であることを特徴とする装置。
【請求項８】
請求項１記載の装置において、
前記吸収性インクが、可視波長範囲において白色であることを特徴とする装置。
【請求項９】
請求項１記載の装置において、
前記第２プリントヘッド（１）が、５００μｍ以内の幅でもってラインまたは破線またはドットの形態をなす印刷パターンを形成するようにして、インクを放出することを特徴とする装置。
【請求項１０】
請求項１記載の装置において、
前記第２プリントヘッド（１）が、カットラインの１ｍｍあたりにつき０．５〜５ｎｌという量のインクを放出することを特徴とする装置。
【請求項１１】
請求項１記載の装置において、
前記レーザー（２）が、６５０〜１６００ｎｍという波長を有したレーザービームを放出することを特徴とする装置。
【請求項１２】
請求項１記載の装置において、
前記レーザー（２）が、０．５〜１０Ｗという平均光パワーを有していることを特徴とする装置。
【請求項１３】
請求項１２記載の装置において、
前記レーザー（２）が、１〜４Ｗという平均光パワーを有していることを特徴とする装置。
【請求項１４】
請求項１２または１３記載の装置において、
前記レーザー（２）がパルスモードで動作する場合には、レーザーの平均パワーが、レーザーのピークパワーよりも少なくとも１００倍小さなものとされることを特徴とする装置。
【請求項１５】
請求項１２または１３記載の装置において、
前記レーザー（２）がパルスモードで動作する場合には、レーザーの平均パワーが、レーザーのピークパワーよりも少なくとも１０倍小さなものとされることを特徴とする装置。
【請求項１６】
請求項１記載の装置において、
前記レーザー（２）が、１つまたは複数の半導体レーザーダイオードを備えていることを特徴とする装置。
【請求項１７】
請求項１記載の装置において、
前記レーザー（２）が、レーザービーム焦点合わせデバイス（１８）を備えていることを特徴とする装置。
【請求項１８】
請求項１７記載の装置において、
前記レーザービーム焦点合わせデバイス（１８）が、少なくとも８０μｍという被写界深度において、１００μｍ〜４００μｍという寸法の光スポットを出力することを特徴とする装置。
【請求項１９】
請求項１記載の装置において、
前記印刷手段と前記カット手段とが、同一の横方向移動キャリッジ（５）上に配置されていることを特徴とする装置。
【請求項２０】
請求項１記載の装置において、
前記紙シート（３）のうちの、前記レーザーによって照射される領域の近傍に位置した少なくとも一方の面に対して、前記紙の熱拡散度合いよりも１０倍以上大きな熱拡散度合いを有した材料が接触していることを特徴とする装置。
【請求項２１】
請求項２０記載の装置において、
前記レーザーによって照射される領域の近傍において前記紙シートに対して接触している前記材料（１７）が、レーザーカットヘッドの形態とされ、
このレーザーカットヘッドが、
−前記紙シートに対して接触しているとともに少なくとも０．５ｃｍ２ という表面積を有するものとされた接触領域と；
−この接触領域内に位置している穴開き部分であるとともに、前記レーザービーム（１９）を通過させることができ、前記紙に対して接触することとなる位置において１ｍｍ２ 以上という断面積を有するものとされた、穴開き部分と；
−純粋エアの導入口（２０）および燃焼煙排気用ダクト（２１）と；
を備えていることを特徴とする装置。
【請求項２２】
請求項１〜２１のいずれか１項に記載された装置において前記一般的インクカートリッジ（４）と前記レーザービームとを見当合わせするための方法であって、
−第１シリーズをなす互いに平行な複数のマークを、前記第１プリントヘッド（４）の前記一般的インクカートリッジを使用して前記紙シート上に形成し、この際、これら複数のマークを、所定第１ピッチの分だけ離間したものとし；
−その後、第２シリーズをなす互いに平行な複数のマークを、前記第１シリーズをなす複数のマークと対向した位置において、前記第２プリントヘッド（１）の前記インクカートリッジを使用して、前記吸収性インクカートリッジと前記レーザーとの間の可能な位置ズレを補償するに十分であるようにして、形成し、この際、これら複数のマークを、前記所定第１ピッチとは異なる所定第２ピッチの分だけ離間したものとし；
−その後、前記吸収性インクによって形成されたシリーズをなす複数のマークを、前記レーザー（２）を使用して、レーザーカット（部分的なカットまたは完全なカット）し；
−前記カット部分を観測することによって、プリンタに対してあるいはプリンタを制御しているコンピュータに対して、情報を送出し、これにより、前記一般的インクによる前記複数のマークと前記カット部分とが一致しているかどうかを認識させる；
ことを特徴とする方法。
【請求項２３】
請求項１〜２１のいずれか１項に記載された装置において前記吸収性インクカートリッジ（１）と前記レーザービームとを見当合わせするための方法であって、
−第１領域をなす互いに平行な複数のマークを、前記第２プリントヘッドの前記吸収性インクカートリッジを使用して、前記紙シート上に形成し、この際、各マークを、所定第１ピッチの分だけ離間したものとするとともに、前記レーザーのスポットの幅を超えない幅を有するものとし；
−前記レーザービームを使用することによって、前記第１領域内において、複数のレーザースポットラインを形成し、この際、各スポットラインを、前記マークに対して平行なものとするとともに、前記所定第１ピッチとは異なる所定ピッチの分だけ離間したものとし；
−前記複数のマークを観測することによって、プリンタに対してあるいはプリンタを制御しているコンピュータに対して、情報を送出し、これにより、それらマークがカットされているかどうかを認識させる；
ことを特徴とする方法。
【請求項２４】
請求項１〜２１のいずれか１項に記載された装置においてカット速度を調節するための方法であって、
−複数のマークを、前記第２プリントヘッドの前記インクカートリッジを使用して、前記紙シート（３）上に形成し；
−前記複数のマーク上にわたって、互いに異なる速度でもってレーザースポットを通過させ；
−完全なカットが行われているかどうかに関する状況を観測する；
ことを特徴とする方法。
【請求項２５】
コンピュータシステムであって、
第１に、コンピュータおよびソフトウェアを具備し、
第２に、請求項１〜２１のいずれか１項に記載された周辺装置を具備し、
前記コンピュータおよび前記ソフトウェアを使用することによって、前記紙シート上に、カット対象をなすパターン（７）と、印刷対象をなすパターン（８）と、を決定し、
前記周辺装置に対して命令を付与することによって、前記周辺装置を使用して、前記印刷と前記カットとを行うことを特徴とするシステム。
【請求項２６】
請求項２５記載のシステムにおいて、
前記コンピュータおよび前記ソフトウェアが、前記周辺装置に対して命令を付与することによって、前記紙に対して割込をかけて、前記カットパターンに従ったカットを行うことを特徴とするシステム。
【請求項２７】
請求項２６記載のシステムにおいて、
前記第１プリントヘッド（４）を使用して行われた適切なマーキング（９）を使用することによって、除去対象をなす紙カット領域を決定し、この際、操作者によって最終的に手動で切り落とすために残すべき領域を決定することを特徴とするシステム。
【請求項２８】
文書または紙対象物を形成するための方法であって、
請求項２５〜２７のいずれか１項に記載されたコンピュータシステムを使用することを特徴とする方法。
【請求項２９】
接着剤付き構造を形成するための方法であって、
−紙シート（３）を出発材料として、請求項２５〜２７のいずれか１項に記載されたコンピュータシステムを使用することによって、文書を形成し、この場合、前記文書を、接着剤を適用すべき少なくとも１つの部分であるとともに接着パターンによってマーキングされた少なくとも１つの部分を有したものとし；
−前記周辺装置に対して、シリコーンによってコーティングされた支持体（２５）と接着層（２６）と印刷可能な表面フィルム（２７）とをこの順に備えてなる多層構造を、供給し、この場合、前記接着層（２６）は、前記支持体（２５）に対してよりも、前記表面フィルム（２７）に対して、より良好に接着され、さらに、前記接着層（２６）は、前記表面フィルム（２７）に対してよりも、前記第１ステップにおいて形成された前記文書に対して、より良好に接着され、さらに、前記接着層（２６）と前記表面フィルム（２７）とが、前記レーザーの動作波長において吸収性を示すものとされ；
−前記文書上に形成された前記接着パターンに対応した接着パターン（２９）を、前記周辺装置の前記第１プリントヘッドを使用することによって前記表面フィルムを印刷することにより、前記多層構造上に、形成し；
−その後、前記レーザーを使用して、前記多層構造上においてカット（２８）を行い、その際、前記文書のうちの接着が行われる部分に対応する寸法でもって、前記表面フィルム（２７）と前記接着層（２６）とに関して前記接着パターンで囲まれた領域を規定し；
−前記領域を、前記シリコーンコーティングされた支持体から分離させ；
−前記領域の前記接着層の面を、前記文書に対向させるようにして配置し、これにより、前記文書の前記接着パターンと、前記表面フィルムと、を対応させ；
−前記表面フィルムを、前記領域から除去し；
−前記接着層が位置している部分を、前記文書に対してあるいは他の文書に対して、貼り付ける；
ことを特徴とする方法。
【請求項３０】
コンピュータシステムであって、
このコンピュータシステムが、
印刷可能シート上に適用するための印刷パターンを決定し、この印刷パターンを、複数のページを有してなる文書に対応したものとし；
前記印刷可能シートの少なくとも１つのための目的をなすカットパターンを決定し、この目的をなすカットパターンを、前記少なくとも１つの印刷可能シート上の領域の認識に基づいたものとする；
ように動作することを特徴とするコンピュータシステム。
【請求項３１】
請求項３０記載のコンピュータシステムにおいて、
前記コンピュータシステムが、さらに、
前記目的をなすカットパターンに従ったカット操作後に前記印刷可能シートを完全にカットするのではなく単に脆弱化させる部分を決定する、
ように動作することを特徴とするコンピュータシステム。
【請求項３２】
請求項３０記載のコンピュータシステムにおいて、
前記コンピュータシステムが、さらに、
前記目的をなすカットパターン内における中断部分の位置を決定し、これにより、前記目的をなすカットパターンに従ったカット操作後においても前記印刷可能シートを完全には切り離さないものとする、
ように動作することを特徴とするコンピュータシステム。
【請求項３３】
請求項３０記載のコンピュータシステムにおいて、
前記コンピュータシステムが、さらに、
前記目的をなすカットパターンを、前記印刷可能シートの機械的特性に基づいて決定する、
ように動作することを特徴とするコンピュータシステム。
【請求項３４】
請求項３０記載のコンピュータシステムにおいて、
前記コンピュータシステムが、さらに、
前記目的をなすカットパターンを、人間工学に基づいて決定する、
ように動作することを特徴とするコンピュータシステム。
【請求項３５】
請求項３０記載のコンピュータシステムにおいて、
前記コンピュータシステムが、さらに、
前記印刷パターンを、前記目的をなすカットパターンに基づいて決定する、
ように動作することを特徴とするコンピュータシステム。
【請求項３６】
請求項３５記載のコンピュータシステムにおいて、
前記コンピュータシステムが、さらに、
前記印刷パターンを、前記目的をなすカットパターンに従ったカット操作後に除去されることとなる領域の認識に基づいたものとする；
ように動作することを特徴とするコンピュータシステム。
【請求項３７】
請求項３０記載のコンピュータシステムにおいて、
前記コンピュータシステムが、さらに、
ネットワークから情報を収集し、
この情報に基づいて、前記印刷パターンおよび前記目的をなすカットパターンを決定する、
ように動作することを特徴とするコンピュータシステム。
【請求項３８】
請求項３７記載のコンピュータシステムにおいて、
前記ネットワークを、インターネットとすることを特徴とするコンピュータシステム。
【請求項３９】
請求項３０記載のコンピュータシステムにおいて、
前記印刷パターンを、３次元対象物を備えたものとすることを特徴とするコンピュータシステム。
【請求項４０】
請求項３０記載のコンピュータシステムにおいて、
前記目的をなすカットパターンを、前記印刷可能シートに窓を形成するものとすることを特徴とするコンピュータシステム。
【請求項４１】
請求項３０記載のコンピュータシステムにおいて、
前記目的をなすカットパターンを、前記少なくとも１つの印刷可能シートに少なくとも１つのタブを形成するものとすることを特徴とするコンピュータシステム。
【請求項４２】
請求項３０記載のコンピュータシステムにおいて、
前記目的をなすカットパターンを、前記印刷可能シートに事前カット穴を形成するものとすることを特徴とするコンピュータシステム。
【請求項４３】
請求項３０記載のコンピュータシステムにおいて、
前記目的をなすカットパターンを、前記少なくとも１つの印刷可能シートに折曲パターンを形成するものとすることを特徴とするコンピュータシステム。
【請求項４４】
請求項３０記載のコンピュータシステムにおいて、
前記目的をなすカットパターンを、タブを形成するものとし、
各タブを、前記複数のページを有してなる文書の一部の認識に基づいたものとする、
ことを特徴とするコンピュータシステム。
【請求項４５】
請求項３０記載のコンピュータシステムにおいて、
前記目的をなすカットパターンを、前記文書の１つのページに窓を形成するものとすることを特徴とするコンピュータシステム。
【請求項４６】
請求項４５記載のコンピュータシステムにおいて、
前記目的をなすカットパターンの決定においては、前記文書の一部に窓を配置することを特徴とするコンピュータシステム。
【請求項４７】
請求項４６記載のコンピュータシステムにおいて、
前記目的をなすカットパターンの決定を、前記印刷パターンに従った印刷操作後に、また、前記目的をなすカットパターンに基づいたカット操作後に、前記窓に関する部分を示すようにして、行うことを特徴とするコンピュータシステム。
【請求項４８】
請求項３０記載のコンピュータシステムにおいて、
前記文書を、財務文書とすることを特徴とするコンピュータシステム。
【請求項４９】
請求項４８記載のコンピュータシステムにおいて、
前記財務文書を、インボイスとすることを特徴とするコンピュータシステム。
【請求項５０】
請求項３０記載のコンピュータシステムにおいて、
前記印刷パターンを、宣伝のためのものとすることを特徴とするコンピュータシステム。
【請求項５１】
請求項３０記載のコンピュータシステムにおいて、
前記印刷パターンを、ゲームのためのものとすることを特徴とするコンピュータシステム。
【請求項５２】
請求項３０記載のコンピュータシステムにおいて、
前記コンピュータシステムが、さらに、
前記コンピュータシステムに対して接続された周辺装置に命令を出すことにより、前記印刷可能シートに対して前記印刷パターンに従って第１インクを適用する、
ように動作することを特徴とするコンピュータシステム。
【請求項５３】
請求項５２記載のコンピュータシステムにおいて、
前記コンピュータシステムが、さらに、
前記周辺装置に命令を出すことにより、前記印刷可能シートの前記領域上に前記目的をなすカットパターンに従って第２インクを適用する、
ように動作することを特徴とするコンピュータシステム。
【請求項５４】
請求項５３記載のコンピュータシステムにおいて、
前記コンピュータシステムが、さらに、
前記周辺装置に命令を出すことにより、前記印刷可能シートの前記第２インクが適用された前記領域上へと、光を案内する、
ように動作することを特徴とするコンピュータシステム。
【請求項５５】
請求項５４記載のコンピュータシステムにおいて、
前記第１インクを、可視のものとすることを特徴とするコンピュータシステム。
【請求項５６】
請求項５５記載のコンピュータシステムにおいて、
前記第２インクを、所定波長範囲において光吸収性のものとすることを特徴とするコンピュータシステム。
【請求項５７】
請求項５６記載のコンピュータシステムにおいて、
前記光を、前記所定波長範囲のものとすることを特徴とするコンピュータシステム。